(57)【特許請求の範囲】
【請求項１】
実質的に棒状の被測定部位を挟むクランプ機構を有する血圧測定用カフであって、
上記クランプ機構は、
上記被測定部位の外周面のうち第１の半面の側を押圧するように、その第１の半面に沿って湾曲した形状をもつ第１クランプ部分と、
上記被測定部位の外周面のうち上記第１の半面と反対の第２の半面の側を押圧するように、その第２の半面に沿って湾曲した形状をもつ第２クランプ部分と、
上記第１クランプ部分の周方向に関して一方の端部に、その周方向と交差する貫通方向に貫通して形成されたスライド孔と、
上記第１クランプ部分の上記一方の端部に対応する上記第２クランプ部分の一方の端部から、上記第１クランプ部分の上記スライド孔内へ延在して嵌合し、上記スライド孔に対して摩擦をもって摺動するスライド棒とを含み、
上記スライド孔および上記スライド棒は、上記第１クランプ部分および上記第２クランプ部分の他方の端部に近い側が凸となる態様で湾曲していることを特徴とする血圧測定用カフ。
【請求項２】
請求項１に記載の血圧測定用カフにおいて、
上記第１クランプ部分の内周面と上記第２クランプ部分の内周面の一方または両方に沿って、血圧測定時に加圧されるべき流体袋が設けられていることを特徴とする血圧測定用カフ。
【請求項３】
請求項１または２に記載の血圧測定用カフにおいて、
上記第１クランプ部分の上記一方の端部の外周面側に、上記スライド孔に隣り合って、指を当てるための第１押さえ領域が形成され、
上記第２クランプ部分の上記一方の端部の外周面側で、上記第１押さえ領域に対応する位置に、指を当てるための第２押さえ領域が形成されていることを特徴とする血圧測定用カフ。
【請求項４】
請求項１から３までのいずれか一つに記載の血圧測定用カフにおいて、
上記スライド棒の先端に、指を当てるための第３押さえ領域が形成され、
上記第１クランプ部分の上記一方の端部の内周面側に、上記スライド孔に隣り合って、指を当てるための第４押さえ領域が形成されていることを特徴とする血圧測定用カフ。
【請求項５】
請求項１から４までのいずれか一つに記載の血圧測定用カフにおいて、
上記スライド孔の上記貫通方向に対して垂直な断面は実質的に矩形状であり、
上記スライド棒が延在する方向に対して垂直な断面の形状は、上記スライド孔の断面の形状と実質的に一致していることを特徴とする血圧測定用カフ。
【請求項６】
請求項５に記載の血圧測定用カフにおいて、
上記貫通方向に関して上記スライド孔の上記第２クランプ部分から遠い側の出入口を構成するエッジのうち、上記第１クランプ部分の上記他方の端部に近い側の第２エッジは、上記第１クランプ部分の上記他方の端部から遠い側の第１エッジよりも、上記貫通方向に関して上記第２クランプ部分に近い位置にあり、および／または、
上記貫通方向に関して上記スライド孔の上記第２クランプ部分に近い側の出入口を構成するエッジのうち、上記第１クランプ部分の上記他方の端部から遠い側の第３エッジは、上記第１クランプ部分の上記他方の端部に近い側の第４エッジよりも、上記貫通方向に関して上記第２クランプ部分から遠い位置にあることを特徴とする血圧測定用カフ。
【請求項７】
請求項６に記載の血圧測定用カフにおいて、
上記第１エッジおよび上記第４エッジの断面には、摩擦を小さくするようにアールが施され、
上記第２エッジおよび上記第３エッジの断面は、摩擦を大きくするように直角または鋭角に形成されていることを特徴とする血圧測定用カフ。
【請求項８】
請求項１から７までのいずれか一つに記載の血圧測定用カフにおいて、
上記第２クランプ部分の周方向の寸法は上記第１クランプ部分の周方向の寸法よりも小さく設定され、
上記スライド孔の上記貫通方向は、上記第１クランプ部分の外周面側から内周面側へ近づくに連れて、上記第１クランプ部分の上記一方の端部よりも周方向に関して外側へ向かっていることを特徴とする血圧測定用カフ。
【請求項９】
請求項８に記載の血圧測定用カフにおいて、
上記第１クランプ部分の内周面に沿って実質的に全域に、血圧測定時に加圧されるべき流体袋が設けられ
上記第２クランプ部分の上記一方の端部に隣り合う部分の内周面側に、上記流体袋の対向する部分の膨張を規制する要素が設けられていることを特徴とする血圧測定用カフ。
【請求項１０】
請求項１から９までのいずれか一つに記載の血圧測定用カフにおいて、
上記第１クランプ部分の上記一方の端部と上記第２クランプ部分の上記一方の端部との間に張力を与える弾性部材を備えたことを特徴とする血圧測定用カフ。
【請求項１１】
請求項１０に記載の血圧測定用カフにおいて、
上記第１クランプ部分と上記第２クランプ部分との間を開状態に維持するラッチ機構を備えたことを特徴とする血圧測定用カフ。
【請求項１２】
請求項１に記載の血圧測定用カフと、血圧測定のための要素を内蔵した本体とを備えた血圧計。
【請求項１３】
請求項１２に記載の血圧計において、
上記本体は、上記第１クランプ部分の外周面を覆うように上記血圧測定用カフに一体に取り付けられ、
上記本体の外面のうち上記第１クランプ部分の上記スライド孔に隣り合う領域に、血圧測定開始指示を入力するための操作スイッチが設けられ、
上記カフの上記第２クランプ部分の上記一方の端部の外周面側で、上記操作スイッチに対応する位置に、指を当てるための第２押さえ領域が形成されていることを特徴とする血圧計。
【発明の詳細な説明】
【技術分野】
【０００１】
この発明は血圧測定用カフに関し、より詳しくは、被測定部位を挟むクランプ機構を有する血圧測定用カフに関する。
【０００２】
この発明は、そのような血圧測定用カフを備えた血圧計に関する。
【背景技術】
【０００３】
従来、腕用の止血補助器具として、例えば特許文献１（実開平４−５１９１６号公報）に開示されているように、下側固定板と、この下側固定板に立設された鉛直方向に延びるアジャスタ尺と、このアジャスタ尺に対して上下に摺動可能に設けられたアジャスタ部と、アジャスタ部から下側固定板に対して平行に延びる上側固定板と、この上側固定板の先端から下方へ設けられた圧迫端とを備えたものが知られている。アジャスタ部は、固定ネジによって、アジャスタ尺に対して固定され得るようになっている。
【０００４】
この止血補助器具では、腕を圧迫するために、
ｉ）固定ネジを緩め、
ii）アジャスタ部をアジャスタ尺に沿って上方へ摺動させて、下側固定板とその上方の圧迫端との間を開き、
iii)下側固定板と圧迫端との間に腕を通して位置決めし、
iv）アジャスタ部をアジャスタ尺に沿って下方へ摺動させて、下側固定板と圧迫端との間を狭め、
ｖ）固定ネジを締め直す
という手順がとられる。このようにして、下側固定板と圧迫端との間に腕を挟むことによって止血が行われる。
【先行技術文献】
【特許文献】
【０００５】
【特許文献１】実開平４−５１９１６号公報
【発明の概要】
【発明が解決しようとする課題】
【０００６】
上記止血補助器具のような被測定部位を挟む構成（これを「クランプ機構」と呼ぶ。）は、血圧測定用カフにも適用可能であると思われる。
【０００７】
しかしながら、上記止血補助器具では、腕を圧迫するために上記ｉ）〜ｖ）の５つの操作を要するため、手間がかかるという問題がある。
【０００８】
そこで、この発明の課題は、被測定部位を挟むクランプ機構を有する血圧測定用カフであって、簡単な操作で装着できるものを提供することにある。
【課題を解決するための手段】
【０００９】
上記課題を解決するため、この発明の血圧測定用カフは、
実質的に棒状の被測定部位を挟むクランプ機構を有する血圧測定用カフであって、
上記クランプ機構は、
上記被測定部位の外周面のうち第１の半面の側を押圧するように、その第１の半面に沿って湾曲した形状をもつ第１クランプ部分と、
上記被測定部位の外周面のうち上記第１の半面と反対の第２の半面の側を押圧するように、その第２の半面に沿って湾曲した形状をもつ第２クランプ部分と、
上記第１クランプ部分の周方向に関して一方の端部に、その周方向と交差する貫通方向に貫通して形成されたスライド孔と、
上記第１クランプ部分の上記一方の端部に対応する上記第２クランプ部分の一方の端部から、上記第１クランプ部分の上記スライド孔内へ延在して嵌合し、上記スライド孔に対して摩擦をもって摺動するスライド棒とを含み、
上記スライド孔および上記スライド棒は、上記第１クランプ部分および上記第２クランプ部分の他方の端部に近い側が凸となる態様で湾曲していることを特徴とする。
【００１０】
本明細書で、上記第１クランプ部分の一方の「端部」、上記第２クランプ部分の一方の「端部」とは、それぞれ端縁を含む或る範囲の部分を指す。
【００１１】
また、上記第１クランプ部分、上記第２クランプ部分の「他方の端部」とは、それぞれ周方向の両方の端部のうち上記「一方の端部」と反対側の端部を指す。
【００１２】
また、上記スライド孔に対する上記スライド棒の「摺動」は相対的なものである。上記とは逆に、上記スライド棒に対して上記スライド孔（つまり、上記第１クランプ部分）が摺動する、とも言える。
【００１３】
この発明の血圧測定用カフは、被測定部位に対して次のような操作で装着される。なお、最初に、上記第１クランプ部分と上記第２クランプ部分との間は、開状態（上記スライド孔が上記スライド棒の先端側に位置し、第１クランプ部分１１Ｍと第２クランプ部分１２Ｍとの間が開いた状態）にあるものとする。
（ａ）  まず、上記第１クランプ部分と上記第２クランプ部分との間に被測定部位を配置する。
（ｂ）  次に、上記第１クランプ部分と上記第２クランプ部分との間を閉じる向きに上記スライド孔に対して上記スライド棒を摺動させて、上記第１クランプ部分と上記第２クランプ部分との間に上記被測定部位を挟持させる（このように被測定部位を挟持した状態を「装着状態」と呼ぶ。）。
この血圧測定用カフは、このように上記配置する操作（ａ）と上記閉じる操作（ｂ）との２つの操作で被測定部位に装着される。したがって、従来例（５つの操作を要する）に比して、この血圧測定用カフは、簡単な操作で装着され得る。
【００１４】
上記装着状態では、血圧測定のために例えば上記第１クランプ部分の内周面に沿って設けられた流体袋が加圧されて上記第１クランプ部分の内周面と上記第２クランプ部分の内周面との間に相対的に開く向きの力が加わったとしても、上記スライド孔から上記スライド棒にモーメントが加わって摩擦力が増加する。この結果、上記第１クランプ部分は上記第２クランプ部分（および上記被測定部位）に対して容易には開かず、上記装着状態が維持される。
【００１５】
また、この血圧測定用カフでは、上記スライド孔および上記スライド棒は、上記第１クランプ部分および上記第２クランプ部分の他方の端部に近い側が凸となる態様で湾曲している。したがって、開状態では、上記スライド孔および上記スライド棒がストレートである場合に比して、上記第１クランプ部分の上記他方の端部と上記第２クランプ部分の上記他方の端部との間が大きく開いている。この結果、上記配置する操作（ａ）、すなわち、上記第１クランプ部分と上記第２クランプ部分との間に被測定部位を配置する操作が容易になる。
【００１６】
この血圧測定用カフは、上記装着状態から、血圧測定（後述の血圧測定のための操作を（ｃ）とする。）の後、次のような操作で取り外される。
（ｄ）  上記第１クランプ部分と上記第２クランプ部分との間を開く向きに上記スライド孔に対して上記スライド棒を摺動させて、上記第１クランプ部分と上記第２クランプ部分との間を開状態にする。
（ｅ）  次に、上記第１クランプ部分と上記第２クランプ部分との間から被測定部位を取り外す。
【００１７】
なお、上記スライド孔と上記スライド棒との間には摩擦があるので、この血圧測定用カフを、上記第１クランプ部分１１Ｍと上記第２クランプ部分１２Ｍとの間が開かれた状態（開状態）で保管することは容易である。ただし、この血圧測定用カフを、上記第１クランプ部分と上記第２クランプ部分との間が閉じられた状態（閉状態）で保管しても良い。その場合、この血圧測定用カフの使用に際して、上記配置する操作（ａ）の前に、上記第１クランプ部分と上記第２クランプ部分との間を開く操作を加える。
【００１８】
一実施形態の血圧測定用カフでは、上記第１クランプ部分の内周面と上記第２クランプ部分の内周面の一方または両方に沿って、血圧測定時に加圧されるべき流体袋が設けられていることを特徴とする。
【００１９】
この一実施形態の血圧測定用カフでは、上記装着状態で、血圧測定時に上記流体袋が加圧される。これにより、上記被測定部位を通る動脈が圧迫されて、血圧測定が円滑に実行される。
【００２０】
一実施形態の血圧測定用カフでは、
上記第１クランプ部分の上記一方の端部の外周面側に、上記スライド孔に隣り合って、指を当てるための第１押さえ領域が形成され、
上記第２クランプ部分の上記一方の端部の外周面側で、上記第１押さえ領域に対応する位置に、指を当てるための第２押さえ領域が形成されていることを特徴とする。
【００２１】
例えば、上記被測定部位が被測定者の左半身に属するものとする（例えば、左手首または左上腕等であるものとする。）。この一実施形態の血圧測定用カフでは、上記配置する操作（ａ）の際に、上記被測定部位の周りで、上記スライド孔と上記スライド棒とが、被測定者の体の中央に近い側、この場合は右手に近い側に配置される。その場合、被測定者は、右手の親指と他の指で上記第１押さえ領域と上記第２押さえ領域とを互いに接近するように挟むことによって、上記第１クランプ部分と上記第２クランプ部分との間を閉じることができる。このとき、上記第１押さえ領域は上記スライド孔に隣り合って形成され、また、上記第２押さえ領域は上記第１押さえ領域に対応する位置に形成されているので、上記スライド孔が上記スライド棒に与える押圧力は比較的小さい。逆に言えば、上記スライド棒が上記スライド孔に与える押圧力は比較的小さい。したがって、上記スライド孔と上記スライド棒との間の摩擦力も比較的小さくなる。この結果、被測定者は、上記第１クランプ部分と上記第２クランプ部分との間を容易に閉じることができる。すなわち、上記閉じる操作（ｂ）を右手（片手）で容易に行うことができる。
【００２２】
一実施形態の血圧測定用カフでは、
上記スライド棒の先端に、指を当てるための第３押さえ領域が形成され、
上記第１クランプ部分の上記一方の端部の内周面側に、上記スライド孔に隣り合って、指を当てるための第４押さえ領域が形成されていることを特徴とする。
【００２３】
この一実施形態の血圧測定用カフでは、上記開く操作（ｄ）の際に、被測定者は、片手の親指と他の指で上記第３押さえ領域と上記第４押さえ領域とを互いに接近するように挟むことによって、上記第１クランプ部分と上記第２クランプ部分との間を開くことができる。このとき、上記第３押さえ領域は上記スライド棒の先端に形成され、また、上記第４押さえ領域は上記スライド孔に隣り合って形成されているので、上記スライド孔が上記スライド棒に与える押圧力は比較的小さい。したがって、上記スライド孔と上記スライド棒との間の摩擦力も比較的小さい。この結果、被測定者は、上記第１クランプ部分と上記第２クランプ部分との間を容易に開くことができる。すなわち、上記開く操作（ｄ）を片手で容易に行うことができる。
【００２４】
一実施形態の血圧測定用カフでは、
上記スライド孔の上記貫通方向に対して垂直な断面は実質的に矩形状であり、
上記スライド棒が延在する方向に対して垂直な断面の形状は、上記スライド孔の断面の形状と実質的に一致していることを特徴とする血圧測定用カフ。
【００２５】
ここで、上記スライド孔の断面が「実質的に矩形状」とは、真の矩形だけでなく、製造ばらつきなどによって多少変形されている場合を含む意味である。また、上記スライド棒の断面の形状が上記スライド孔の断面の形状と「実質的に一致」しているとは、真の矩形だけでなく、上記スライド棒のコーナー部（断面における）に面取りが形成されている場合や、製造ばらつきなどによって多少変形されている場合を含む意味である。
【００２６】
この一実施形態の血圧測定用カフでは、上記閉じる操作（ｂ）、上記開く操作（ｄ）の際に、湾曲した上記スライド棒を含む平面に沿って、上記第１クランプ部分と上記第２クランプ部分とが移動（摺動）する。つまり、断面矩形状の上記スライド孔に断面矩形状の上記スライド棒が嵌合しているので、上記スライド棒の周りに上記第１クランプ部分が回転するのが規制される。したがって、上記操作（ａ）〜（ｅ）が繰り返されたとしても、上記閉じる操作（ｂ）の後は、必ず、上記第１クランプ部分と上記第２クランプ部分とが対向して、上記被測定部位を圧迫可能な状態になる。
【００２７】
一実施形態の血圧測定用カフでは、
上記貫通方向に関して上記スライド孔の上記第２クランプ部分から遠い側の出入口を構成するエッジのうち、上記第１クランプ部分の上記他方の端部に近い側の第２エッジは、上記第１クランプ部分の上記他方の端部から遠い側の第１エッジよりも、上記貫通方向に関して上記第２クランプ部分に近い位置にあり、および／または、
上記貫通方向に関して上記スライド孔の上記第２クランプ部分に近い側の出入口を構成するエッジのうち、上記第１クランプ部分の上記他方の端部から遠い側の第３エッジは、上記第１クランプ部分の上記他方の端部に近い側の第４エッジよりも、上記貫通方向に関して上記第２クランプ部分から遠い位置にあることを特徴とする。
【００２８】
この一実施形態の血圧測定用カフでは、上記装着状態で、血圧測定のために例えば上記第１クランプ部分の内周面に沿って設けられた流体袋が加圧されて上記第１クランプ部分の内周面と上記第２クランプ部分の内周面との間に相対的に開く向きの力が加わったとき、上記スライド孔の内面が上記スライド棒に対して与える押圧力が大きくなる。詳しくは、上記第１クランプ部分の内周面を力点とし、上記スライド孔の上記第２エッジを支点とすると、上記スライド孔の上記第３エッジは作用点に相当する。ここで、この一実施形態の血圧測定用カフでは、上記第２エッジは上記第１エッジよりも上記貫通方向に関して上記第２クランプ部分に近い位置にあり、および／または、上記第３エッジは上記第４エッジよりも上記貫通方向に関して上記第２クランプ部分から遠い位置にある。すなわち、支点である上記第２エッジと作用点である上記第３エッジとの間の距離（モーメントの腕の長さ）が比較的短い。したがって、作用点である上記第３エッジ（および、支点である上記第２エッジ）に働く押圧力が大きくなる。この結果、上記スライド孔と上記スライド棒との間に働く摩擦力が大きくなる。この結果、上記第１クランプ部分は上記第２クランプ部分（および上記被測定部位）に対してさらに開きにくくなり、上記装着状態が確実に維持される。
【００２９】
一実施形態の血圧測定用カフでは、
上記第１エッジおよび上記第４エッジの断面には、摩擦を小さくするようにアールが施され、
上記第２エッジおよび上記第３エッジの断面は、摩擦を大きくするように直角または鋭角に形成されていることを特徴とする。
【００３０】
既述の閉じる操作（ｂ）では、上記スライド孔の内面が上記スライド棒に対して与える押圧力は、主に上記第１エッジおよび上記第４エッジに働く。ここで、この一実施形態の血圧測定用カフでは、上記第１エッジおよび上記第４エッジの断面には、摩擦を小さくするようにアールが施されている。したがって、上記閉じる操作（ｂ）がさらに容易に行われる。また、例えば上記装着状態で、血圧測定のために例えば上記第１クランプ部分の内周面に沿って設けられた流体袋が加圧されて上記第１クランプ部分の内周面と上記第２クランプ部分の内周面との間に相対的に開き向きの力が加わったとき、上記スライド孔の内面が上記スライド棒に対して与える押圧力は、主に上記第２エッジおよび上記第３エッジに働く。ここで、この一実施形態の血圧測定用カフでは、上記第２エッジおよび上記第３エッジの断面は、摩擦を大きくするように直角または鋭角に形成されている。したがって、上記第１クランプ部分は上記第２クランプ部分（および上記被測定部位）に対してさらに開きにくくなり、上記装着状態が確実に維持される。
【００３１】
一実施形態の血圧測定用カフでは、
上記第２クランプ部分の周方向の寸法は上記第１クランプ部分の周方向の寸法よりも小さく設定され、
上記スライド孔の上記貫通方向は、上記第１クランプ部分の外周面側から内周面側へ近づくに連れて、上記第１クランプ部分の上記一方の端部よりも周方向に関して外側へ向かって傾斜していることを特徴とする血圧測定用カフ。
【００３２】
この一実施形態の血圧測定用カフでは、例えば、上記第１クランプ部分の周方向の寸法は、測定対象としての被測定部位が太い場合に、その太い被測定部位の第１の半面を完全に覆う寸法に設定される。第１の半面は、圧迫すべき動脈が通っているものとする。その場合、上記配置する操作（ａ）の際に、上記第１クランプ部分の内周面に、上記太い被測定部位の第１の半面を対向して配置する。なお、上記第２クランプ部分の周方向の寸法は上記第１クランプ部分の周方向の寸法よりも小さいことから、上記閉じる操作（ｂ）の後の装着状態では、上記太い被測定部位の第２の半面のうち上記スライド棒から遠い部分は上記第２クランプ部分の上記他方の端部よりも外側へはみ出すことがあるが、上記第１クランプ部分の内周面に沿って実質的に全域に流体袋を設けておけば、血圧測定に支障は生じない。一方、測定対象としての被測定部位が細い場合も、同様に、上記配置する操作（ａ）の際に、上記第１クランプ部分の内周面に、上記細い被測定部位の第１の半面を対向して配置する。上記閉じる操作（ｂ）の際に、上記第１クランプ部分に対して相対的に上記第２クランプ部分が近づくに連れて、上記第２クランプ部分は、上記第１クランプ部分の上記一方の端部から上記他方の端部へ向かって対向する領域を変えながら、概ね斜めに大きく移動する（上記スライド孔および上記スライド棒の湾曲に伴う姿勢の回転も含む。）。これにより、上記第１クランプ部分と上記第２クランプ部分との間に上記細い被測定部位を確実に挟持することができる。
【００３３】
一実施形態の血圧測定用カフでは、
上記第１クランプ部分の内周面に沿って実質的に全域に、血圧測定時に加圧されるべき流体袋が設けられ、
上記第２クランプ部分の上記一方の端部に隣り合う部分の内周面側に、上記流体袋の対向する部分の膨張を規制する要素が設けられていることを特徴とする。
【００３４】
測定対象としての被測定部位が細い場合、仮に何の工夫も無ければ、上記流体袋が加圧されたとき、上記流体袋のうち上記スライド棒に近い側の端部が上記第２クランプ部分へ向かって大きく膨らんでしまい、血圧測定に支障を生ずる可能性がある。ここで、この一実施形態の血圧測定用カフでは、上記第２クランプ部分の上記一方の端部に隣り合う部分の内周面側に、上記流体袋の対向する部分の膨張を規制する要素が設けられている。したがって、上記要素が上記流体袋の対向する部分の膨張を規制する。この結果、血圧測定が精度良く円滑に行われる。
【００３５】
一実施形態の血圧測定用カフでは、上記第１クランプ部分の上記一方の端部と上記第２クランプ部分の上記一方の端部との間に張力を与える弾性部材を備えたことを特徴とする。
【００３６】
この一実施形態の血圧測定用カフでは、上記閉じる操作の際に、上記弾性部材の張力によって、上記第１クランプ部分と上記第２クランプ部分との間が容易に閉じられる。例えば、上記弾性部材の張力が、上記スライド孔と上記スライド棒との間の摩擦力よりも大きく設定されていれば、上記閉じる操作の際に、被測定者は上記第１クランプ部分と上記第２クランプ部分との間を閉じるための外力を加える必要がなくなる。また、装着状態では、上記弾性部材の張力によって、上記第１クランプ部分の内周面（または流体袋）、上記第２クランプ部分の内周面が上記被測定部位に密着する。したがって、血圧測定が精度良く円滑に行われる。
【００３７】
一実施形態の血圧測定用カフでは、上記第１クランプ部分と上記第２クランプ部分との間を開状態に維持するラッチ機構を備えたことを特徴とする。
【００３８】
この一実施形態の血圧測定用カフでは、ラッチ機構が、上記第１クランプ部分と上記第２クランプ部分との間を開状態に維持する。したがって、被測定者は、上記第１クランプ部分と上記第２クランプ部分との間が開状態に維持されている間に、上記配置する操作を行うことができる。なお、上記配置する操作の後、上記ラッチ機構による開状態の維持は解除され得る。
【００３９】
別の局面では、この発明の血圧計は、上記発明の血圧測定用カフと、血圧測定のための要素を内蔵した本体とを備える。
【００４０】
この発明の血圧計では、上記血圧測定用カフが、既述のように簡単な操作で装着され得る。したがって、血圧測定が円滑に行われる。
【００４１】
具体的には、上記配置する操作（ａ）、上記閉じる操作（ｂ）を順次行った後の装着状態で、
（ｃ）  例えば上記本体に設けられた操作スイッチを押して、上記本体に血圧測定開始指示を入力する。これによって、例えば上記第１クランプ部分の内周面に沿って設けられた流体袋が加圧されて、血圧測定が行われる。
（ｄ）  測定終了後、上記第１クランプ部分と上記第２クランプ部分との間を開く向きに上記スライド孔に対して上記スライド棒を摺動させて、上記第１クランプ部分と上記第２クランプ部分との間を開状態にする。
（ｅ）  上記第１クランプ部分と上記第２クランプ部分との間から被測定部位を取り外す。
このように、この血圧計によれば、血圧測定が円滑に行われる。
【００４２】
一実施形態の血圧計では、
上記本体は、上記第１クランプ部分の外周面を覆うように上記血圧測定用カフに一体に取り付けられ、
上記本体の外面のうち上記第１クランプ部分の上記スライド孔に隣り合う領域に、血圧測定開始指示を入力するための操作スイッチが設けられ、
上記カフの上記第２クランプ部分の上記一方の端部の外周面側で、上記操作スイッチに対応する位置に、指を当てるための第２押さえ領域が形成されていることを特徴とする。
【００４３】
例えば、上記被測定部位が被測定者の左半身に属するものとする（例えば、左手首または左上腕等であるものとする。）。この一実施形態の血圧計では、上記配置する操作（ａ）の際に、上記被測定部位の周りで、上記スライド孔と上記スライド棒とが、被測定者の体の中央に近い側、この場合は右手に近い側に配置される。しかも、上記本体の外面のうち上記第１クランプ部分の上記スライド孔に隣り合う領域に、血圧測定開始指示を入力するための操作スイッチが設けられている。したがって、被測定者は、右手の親指と他の指で上記操作スイッチと上記第２押さえ領域とを互いに接近するように挟むことによって、上記第１クランプ部分と上記第２クランプ部分との間を容易に閉じることができる。すなわち、上記閉じる操作（ｂ）を片手で容易に行うことができる。また、上記閉じる操作（ｂ）を行うことによって、上記測定開始指示の操作（ｃ）、すなわち、上記本体に設けられた操作スイッチを押して上記本体に血圧測定開始指示を入力する操作を行うことができる。すなわち、上記閉じる操作（ｂ）と上記測定開始指示の操作（ｃ）とを併せて同時に行うことができる。したがって、簡単な操作で血圧測定を行うことができる。
【発明の効果】
【００４４】
以上より明らかなように、この発明の血圧測定用カフは、簡単な操作で装着され得る。
【００４５】
また、この発明の血圧計では、血圧測定用カフを簡単な操作で装着できる。
【図面の簡単な説明】
【００４６】
【図１】この発明の一実施形態の血圧測定用カフ（開状態にある）を備えた血圧計の外観を示す斜視図である。
【図２】図２（Ｃ）は図１の血圧計を前方から見たところを示す図、図２（Ａ）は図２（Ｃ）の血圧計を上方から見たところを示す図、図２（Ｂ）は図２（Ｃ）の血圧計を左側方から見たところを示す図、図２（Ｄ）は図２（Ｃ）の血圧計を右側方から見たところを示す図である。
【図３】図１の血圧測定用カフを備えた血圧計が被測定部位としての左手首に対して装着された状態（装着状態）を示す斜視図である。
【図４】図４（Ｃ）は図３の血圧計を前方から見たところを示す図、図４（Ａ）は図４（Ｃ）に示すものを上方から見たところを示す図、図４（Ｂ）は図４（Ｃ）に示すものを左側方から見たところを示す図、図４（Ｄ）は図４（Ｃ）に示すものを右側方から見たところを示す図である。
【図５】上記血圧測定用カフの第１クランプ部分と第２クランプ部分との間に被測定部位としての左手首を配置する操作を示す図である。
【図６】上記血圧測定用カフを閉じる操作を示す図である。
【図７】血圧測定中に上記血圧測定用カフに加わる力を示す図である。
【図８】上記血圧測定用カフを開く操作を示す図である。
【図９】上記血圧測定用カフを備えた血圧計が被測定部位としての太い左手首に対して装着された状態を示す図である。
【図１０】上記血圧測定用カフを備えた血圧計が被測定部位としての細い左手首に対して装着された状態を示す図である。
【図１１】変形例の血圧測定用カフを備えた血圧計の外観を示す斜視図である。
【図１２】図１２（Ａ）は、図１１中の血圧測定用カフを開く操作、および、その血圧測定用カフの第１クランプ部分と第２クランプ部分との間に被測定部位としての左手首を配置する操作を示す図である。図１２（Ｂ）は図１２（Ａ）に示すものを右側方から見たところを示す図である。
【図１３】図１３（Ａ）は、図１１中の血圧測定用カフを備えた血圧計が被測定部位としての左手首に対して装着された状態（装着状態）を示す斜視図である。図１３（Ｂ）は図１３（Ａ）に示すものを右側方から見たところを示す図である。
【図１４】上記血圧計のブロック構成を示す図である。
【図１５】上記血圧計による血圧測定のフローを示す図である。
【発明を実施するための形態】
【００４７】
以下、この発明の実施の形態を、図面を参照しながら詳細に説明する。
【００４８】
図１は、この発明の一実施形態の血圧測定用カフ（開状態にある）２０を備えた血圧計１の外観を斜めから見たところを示している。また、図２（Ｃ）は血圧計１を前方から見たところ、図２（Ａ）は血圧計１を上方から見たところ、図２（Ｂ）は血圧計１を左側方から見たところ、図２（Ｄ）は血圧計１を右側方から見たところをそれぞれ示している。これらの図に示すように、この血圧計１は、クランプ機構２１を有する血圧測定用カフ（以下、単に「カフ」という。）２０と、血圧測定のための要素を内蔵した本体１０とを、一体に備えている。図３に示すように、この血圧計１は、実質的に棒状の被測定部位としての左手首９０に装着されることを予定している。左手首９０の外周面は、第１の半面としての手のひら側の半面９０ａと、その反対側に相当する第２の半面としての手の甲側の半面９０ｂとを含む。手のひら側の半面９０ａの近傍には、血圧測定の際に圧迫されるべき動脈９０ｕ，９０ｖが通っている。なお、図４（Ａ）〜図４（Ｄ）は、それぞれ、図３に示すものを図２（Ａ）〜図２（Ｄ）に対応して示している。
【００４９】
図１および図２（Ｃ）によって良く分かるように、カフ２０は、本体１０が一体に取り付けられた上側部材１１と、この上側部材１１に対して摺動可能に設けられた下側部材１２とを備えている。
【００５０】
なお、「上側部材」、「下側部材」というのは、説明の便宜のための呼称であり、実際には、上側部材が下、下側部材が上になる姿勢をとってもよい。後述の「左端部」、「右端部」についても同様であり、実際には、左端部が右、右端部が左になる姿勢をとってもてもよい。
【００５１】
上側部材１１は、左手首９０の手のひら側の半面９０ａに沿った周方向Ｘ１に湾曲した形状をもつ第１クランプ部分１１Ｍと、この第１クランプ部分１１Ｍの周方向Ｘ１に関して一方の端部（図１および図２（Ｃ）中における右端部）１１ｆに一体に形成されたブロック部分１１Ｎとを備えている。第１クランプ部分１１Ｍは、概ね、短円筒の周方向に関して一部を切り出したような、略円弧状の断面をもつ板状に形成されている。ブロック部分１１Ｎには、周方向Ｘ１と交差する方向（これを「貫通方向」と呼ぶ。）Ｙに貫通してスライド孔１３が形成されている。スライド孔１３の貫通方向Ｙに対して垂直な断面は略矩形状になっている（特に図４（Ａ）参照）。図１および図２（Ｃ）によって良く分かるように、ブロック部分１１Ｎの上側（外周面１１ａ側）には、スライド孔１３の手前に隣り合って、右上がりに傾斜した、指を当てるための平坦な第１押さえ領域１５が形成されている。第１押さえ領域１５には「ＣＬＯＳＥ」（閉じる）と表示されている。ブロック部分１１Ｎの下側（内周面１１ｂ側）には、スライド孔１３の奥に隣り合って、右上がりに傾斜した、指を当てるための平坦な第４押さえ領域１８が形成されている。ブロック部分１１Ｎの直下には、次に述べるスライド棒１４を案内するための一対のガイド部分１１Ｐ，１１Ｑが斜め右下へ延びるように一体に形成されている。
【００５２】
下側部材１２は、左手首９０の手の甲側の半面９０ｂ沿った周方向Ｘ２に湾曲した形状をもつ第２クランプ部分１２Ｍと、この第２クランプ部分１２Ｍの周方向Ｘ２に関して一方の端部（図１および図２（Ｃ）中における右端部）１２ｆに一体に形成された連結板部分１２Ｐ，１２Ｑと、基板部分１２Ｓと、スライド棒１４と、端板部分１２Ｖとを備えている。第２クランプ部分１２Ｍは、概ね第１クランプ部分１１Ｍと同様に、短円筒の周方向に関して一部を切り出したような、湾曲した板状に形成されている。第２クランプ部分１２Ｍの周方向Ｘ２の寸法は、第１クランプ部分１１Ｍの周方向Ｘ１の寸法よりも小さく設定されている。連結板部分１２Ｐ，１２Ｑはそれぞれ概ね平板状に形成され、強度を高めるために、それらの先端同士が合流して一体化されている。基板部分１２Ｓは、概ね平板状であり、上側の連結板部分１２Ｐと下側の連結板部分１２Ｑとの合体した先端に、斜め上方へ向かって延びるように一体に形成されている。基板部分１２Ｓには、手前側へ突出する態様で突起１２Ｒが一体に形成されている。突起１２Ｒの下側（外周面１２ａ側）には、前後（手前・奥）方向に関して上側部材１１の第１押さえ領域１５に対応する位置に、右上がりに傾斜した、指を当てるための平坦な第２押さえ領域１６が形成されている。突起１２Ｒには「ＣＬＯＳＥ」（閉じる）と表示されている。スライド棒１４は、基板部分１２Ｓから左上方へ、より詳しくは第１クランプ部分１１Ｍのスライド孔１３内へ延在して嵌合している。スライド棒１４が延在する方向に対して垂直な断面の形状は、略矩形状であり、スライド孔１３の断面の形状と実質的に一致している。これにより、スライド棒１４は、スライド孔１３に対して摩擦をもって摺動することができる。なお、スライド棒１４の各コーナー部１４ｃには面取りが形成されており（特に、図１、図３参照）、これによりスライド孔１３に対して各コーナー部１４ｃが引っ掛かるのを防止している。端板部分１２Ｖは、前後方向および左右方向に関してスライド孔１３の断面の寸法よりも大きい寸法を有するブロック状に形成されており、スライド棒１４の先端に取り付けられている。端板部分１２Ｖの上側には、前後方向に関して上側部材１１の第４押さえ領域１８に対応する位置に、右上がりに傾斜した、指を当てるための平坦な第３押さえ領域１７が形成されている。第３押さえ領域１７には「ＯＰＥＮ」（開く）と表示されている。
【００５３】
スライド孔１３に対してスライド棒１４は、先端側（端板部分１２Ｖ側）から根元側（基板部分１２Ｓ側）へ、またはその逆に、根元側から先端側へ、相対的に摺動することができる。スライド孔１３がスライド棒１４の先端側に位置し、第１クランプ部分１１Ｍと第２クランプ部分１２Ｍとの間が開いた状態にあるとき、このカフ２０は「開状態」にあると言う。逆に、スライド孔１３がスライド棒１４の根元側に位置し、第１クランプ部分１１Ｍと第２クランプ部分１２Ｍとの間が閉じた状態にあるとき、このカフ２０は「閉状態」にあると言う。
【００５４】
この例では、このカフ２０が開状態にあるとき、第１押さえ領域１５と第３押さえ領域１７とが実質的に同一平面内に位置している。これにより、カフ２０の見栄えを良くしている。
【００５５】
スライド孔１３の貫通方向Ｙは、ブロック部分１１Ｎの上側から下側へ近づくに連れて、第１クランプ部分１１Ｍの右端部１１ｆよりも周方向Ｘ１に関して外側へ向かって（すなわち、上下方向に延びる図示しない鉛直線よりも外側へ向かって、この例では右下へ）傾斜している。さらに、スライド孔１３およびスライド棒１４は、第１クランプ部分１１Ｍおよび第２クランプ部分１２Ｍの他方の端部（図１および図２（Ｃ）中における左端部）１１ｅ，１２ｅに近い側が凸となる態様で湾曲している。
【００５６】
上側部材１１（第１クランプ部分１１Ｍ、ブロック部分１１Ｎ、ガイド部分１１Ｐ，１１Ｑを含む。）は、この例ではＡＢＳ（アクリロニトリルブタジエンスチレン共重合体）樹脂からなり、一体成形により形成されている。一方、下側部材１２については、第２クランプ部分１２Ｍ、連結板部分１２Ｐ，１２Ｑ、基板部分１２Ｓ、およびスライド棒１４が一体成形により形成されている。そのスライド棒１４の先端に対して、別途作製された端板部分１２Ｖが図示しないねじによって固定されている。下側部材１２の各要素１２Ｍ，１２Ｐ，１２Ｑ，１２Ｓ，１４，１２Ｖも、上側部材１１と同様にＡＢＳ樹脂からなっている。
【００５７】
この例では、第１クランプ部分１１Ｍの内周面１１ｂに沿って略全域に、血圧測定時に加圧されるべき流体袋２２が設けられている。なお、それに代えて、またはそれに加えて、流体袋は、第２クランプ部分１２Ｍの内周面１２ｂに沿って設けられていても良い。
【００５８】
図５は、血圧計１の図２（Ｃ）に平行な断面を示している。図５中に示すように、貫通方向Ｙに関してスライド孔１３の第２クランプ部分１２Ｍから遠い側の出入口を構成するエッジのうち、第１クランプ部分１１Ｍの左端部１１ｅに近い側の第２エッジ１３ｅ２は、第１クランプ部分１１Ｍの左端部１１ｅから遠い側の第１エッジ１３ｅ１よりも、貫通方向Ｙに関して第２クランプ部分１２Ｍに近い位置にある。また、貫通方向Ｙに関してスライド孔１３の第２クランプ部分１２Ｍに近い側の出入口を構成するエッジのうち、第１クランプ部分１１Ｍの左端部１１ｅから遠い側の第３エッジ１３ｅ３は、第１クランプ部分１１Ｍの左端部１１ｅに近い側の第４エッジ１３ｅ４よりも、貫通方向Ｙに関して第２クランプ部分１２Ｍから遠い位置にある。
【００５９】
第１エッジ１３ｅ１および第４エッジ１３ｅ４の断面には、摩擦を小さくするようにアールが施されている。一方、第２エッジ１３ｅ２および第３エッジ１３ｅ３の断面は、摩擦を大きくするように直角または鋭角に形成されている。
【００６０】
図５によって良く分かるように、本体１０は、上側部材１１の第１クランプ部分１１Ｍ上に一体に取り付けられている。具体的には、本体１０の下面１０ｂには、凹状の溝１０ｄが設けられている。第１クランプ部分１１Ｍの外周面１１ａには、本体１０の溝１０ｄに嵌合する突起１１ｃが設けられている。本体１０の凹状の溝１０ｄが第１クランプ部分１１Ｍの突起１１ｃに嵌合して位置合わせされ、図示しない固定手段（例えば、第１クランプ部分１１Ｍ側にフックが設けられ、本体１０側にそのフックを係止する係止穴が設けられる構成）によって互いに一体に取り付けられている。第１クランプ部分１１Ｍには、突起１１ｃに対応する部位に、外周面１１ａ側と内周面１１ｂ側との間を貫通する連通穴１１ｏが設けられている。この連通穴１１ｏを通る配管（図示せず）を通して、本体１０の内部に配置されたポンプ（後述）から流体袋２２へ加圧用の空気が供給され、また、流体袋２２からの排気が行われる。
【００６１】
図１、図３によって良く分かるように、本体１０の上面（外面）１０ａの右端部、すなわち、第１クランプ部分１１Ｍのスライド孔１３に隣り合う領域に、この血圧計１の使用者（典型的には、被測定者）が操作を行うための操作部５２が設けられている。操作部５２では、手前側、すなわち、前後（手前・奥）方向に関して第２押さえ領域１６と対応する位置に、使用者が測定開始又は停止を指示するための測定／停止スイッチ５２Ａが配置されており、また、奥側に、使用者が血圧の測定を呼び出すための記録呼出スイッチ５２Ｂが配置されている。本体１０の上面１０ａのうち、操作部５２以外の領域には、血圧の測定結果や血圧に関連する情報を表示するための表示器（この例では、液晶表示素子）５０が設けられている。
【００６２】
この血圧計１は、被測定部位としての左手首９０に対して次のような操作（ａ）、（ｂ）で装着される。なお、最初に、第１クランプ部分１１Ｍと第２クランプ部分１２Ｍとの間は、開状態にあるものとする。
【００６３】
（ａ）  まず、図５に示すように、被測定者は、第１クランプ部分１１Ｍと第２クランプ部分１２Ｍとの間に左手首９０を配置する。
【００６４】
この配置する操作（ａ）の際に、被測定者は、左手首９０の周りで、スライド孔１３とスライド棒１４とを、被測定者の体の中央に近い側、この場合は右手に近い側に配置する。また、左手首９０の動脈９０ｕ，９０ｖが通っている手のひら側の半面９０ａを上へ向けて、流体袋２２に接するようにする。
【００６５】
この血圧計１では、既述のように、スライド孔１３およびスライド棒１４は、第１クランプ部分１１Ｍおよび第２クランプ部分１２Ｍの左端部１１ｅ，１２ｅに近い側が凸となる態様で湾曲している。したがって、開状態では、スライド孔１３およびスライド棒１４がストレートである場合に比して、第１クランプ部分１１Ｍの左端部１１ｅと第２クランプ部分１２Ｍの左端部１２ｅとの間Ｙ２が大きく開いている（スライド棒１４上での距離Ｙ１よりも、Ｙ２が大きい。）。この結果、この配置する操作（ａ）が容易になる。
【００６６】
（ｂ）  次に、図６に示すように、被測定者は、第１クランプ部分１１Ｍと第２クランプ部分１２Ｍとの間を閉じる向きにスライド孔１３に対してスライド棒１４を摺動させて、第１クランプ部分１１Ｍと第２クランプ部分１２Ｍとの間に左手首９０を挟持させる（このように被測定部位を挟持した状態を「装着状態」と呼ぶ。）。
【００６７】
この閉じる操作（ｂ）の際に、被測定者は、右手の親指と他の指で第１押さえ領域１５と第２押さえ領域１６とを互いに接近するように力Ｆ１，Ｆ２を加えて挟むことによって、第１クランプ部分１１Ｍと第２クランプ部分１２Ｍとの間を閉じることができる。このとき、第１押さえ領域１５はスライド孔１３に隣り合って形成され、また、第２押さえ領域１６は第１押さえ領域１５に対応する位置に形成されているので、スライド孔１３がスライド棒１４に与える押圧力は比較的小さく、また、スライド棒１４がスライド孔１３に与える押圧力は比較的小さい。詳しくは、力Ｆ１によってスライド孔１３がスライド棒１４に与えるモーメントＴｒ１に関して、第１押さえ領域１５を力点とし、第１エッジ１３ｅ１を支点とすると、第４エッジ１３ｅ４は作用点に相当する。ここで、力点である第１押さえ領域１５と支点である第１エッジ１３ｅ１との間の距離（正確には、モーメントの腕の長さ。この段落において以下同様。）に比して、支点である第１エッジ１３ｅ１と作用点である第４エッジ１３ｅ４との間の距離Ｌ１が比較的長い。したがって、第４エッジ１３ｅ４（および第１エッジ１３ｅ１）に働く押圧力が比較的小さくなる。また、力Ｆ２によってスライド棒１４がスライド孔１３に与えるモーメントＴｒ２に関して、第２押さえ領域１６を力点とし、第４エッジ１３ｅ４を支点とすると、第１エッジ１３ｅ１は作用点に相当する。ここで、力点である第２押さえ領域１６と支点である第４エッジ１３ｅ４との間の距離に比して、支点である第４エッジ１３ｅ４と作用点である第１エッジ１３ｅ１との間の距離Ｌ１が比較的長い。したがって、第１エッジ１３ｅ１（および第４エッジ１３ｅ４）に働く押圧力が比較的小さくなる。これにより、スライド孔１３とスライド棒１４との間の摩擦力も比較的小さくなる。加えて、第１エッジ１３ｅ１および第４エッジ１３ｅ４の断面にはアールが施されているので、スライド孔１３とスライド棒１４との間の摩擦力はさらに小さくなる。この結果、被測定者は、第１クランプ部分１１Ｍと第２クランプ部分１２Ｍとの間を容易に閉じることができる。すなわち、閉じる操作（ｂ）を片手で容易に行うことができる。
【００６８】
この血圧計１（カフ２０）は、このように配置する操作（ａ）と閉じる操作（ｂ）との２つの操作で左手首９０に装着される。したがって、従来例（５つの操作を要する）に比して、この血圧計１は、簡単な操作で装着され得る。
【００６９】
この血圧計１では、配置する操作（ａ）、閉じる操作（ｂ）を順次行った後の装着状態（例えば図６）で、被測定者は、次のような測定開始指示の操作（ｃ）を行う。
【００７０】
（ｃ）  本体１０に設けられた操作スイッチとしての測定／停止スイッチ５２Ａを押して、本体１０に血圧測定開始指示を入力する。これによって、第１クランプ部分１１Ｍの内周面１１ｂに沿って設けられた流体袋２２が加圧されて、血圧測定が行われる（血圧測定のフローについては、後述する。）。
【００７１】
血圧測定中には、図７中に示すように、第１クランプ部分１１Ｍの内周面１１ｂに沿って設けられた流体袋２２が加圧されて、第１クランプ部分１１Ｍの内周面１１ｂと第２クランプ部分１２Ｍの内周面１２ｂとの間に相対的に開く向きの力Ｆ３，Ｆ４が加わる。しかし、スライド孔１３からスライド棒１４にモーメントが加わって押圧力が増加し、また、スライド棒１４からスライド孔１３にモーメントが加わって押圧力が増加する。詳しくは、力Ｆ３によってスライド孔１３がスライド棒１４に与えるモーメントＴｒ３に関して、第１クランプ部分１１Ｍの内周面１１ｂを力点とし、スライド孔１３の第２エッジ１３ｅ２を支点とすると、スライド孔１３の第３エッジ１３ｅ３は作用点に相当する。ここで、力点である第１クランプ部分１１Ｍの内周面１１ｂと支点である第２エッジ１３ｅ２との間の距離（正確には、モーメントの腕の長さ。この段落において以下同様。）に比して、支点である第２エッジ１３ｅ２と作用点である第３エッジ１３ｅ３との間の距離Ｌ２が比較的短い。したがって、第３エッジ１３ｅ３（および第２エッジ１３ｅ２）に働く押圧力が大きくなる。また、力Ｆ４によってスライド棒１４がスライド孔１３に与えるモーメントＴｒ４に関して、第２クランプ部分１２Ｍの内周面１２ｂを力点とし、スライド孔１３の第３エッジ１３ｅ３を支点とすると、スライド孔１３の第２エッジ１３ｅ２は作用点に相当する。ここで、力点である第２クランプ部分１２Ｍの内周面１２ｂと支点である第３エッジ１３ｅ３との間の距離に比して、支点である第３エッジ１３ｅ３と作用点である第２エッジ１３ｅ２との間の距離Ｌ２が比較的短い。したがって、第２エッジ１３ｅ２（および第３エッジ１３ｅ３）に働く押圧力が大きくなる。特に、既述のように、第２エッジ１３ｅ２は、第１エッジ１３ｅ１よりも、貫通方向Ｙに関して第２クランプ部分１２Ｍに近い位置にあり、また、第３エッジ１３ｅ３は、第４エッジ１３ｅ４よりも、貫通方向Ｙに関して第２クランプ部分１２Ｍから遠い位置にある。つまり、第２エッジ１３ｅ２と第３エッジ１３ｅ３との間の距離Ｌ２は、第１エッジ１３ｅ１と第４エッジ１３ｅ４との間の距離Ｌ１よりも短く設定されている。したがって、第２エッジ１３ｅ２および第３エッジ１３ｅ３に働く押圧力がさらに大きくなる。これにより、スライド孔１３とスライド棒１４との間に働く摩擦力が大きくなる。加えて、第２エッジ１３ｅ２および第３エッジ１３ｅ３の断面は直角または鋭角に形成されているので、スライド孔１３とスライド棒１４との間の摩擦力はさらに大きくなる。この結果、第１クランプ部分１１Ｍは第２クランプ部分１２Ｍ（および左手首９０）に対して開きにくくなり、装着状態が確実に維持される。
【００７２】
この血圧計１は、血圧測定の後、次のような操作（ｄ）、（ｅ）で取り外される。
【００７３】
（ｄ）  測定終了後、図８に示すように、被測定者は、第１クランプ部分１１Ｍと第２クランプ部分１２Ｍとの間を開く向きにスライド孔１３に対してスライド棒１４を摺動させて、第１クランプ部分１１Ｍと第２クランプ部分１２Ｍとの間を開状態にする。
【００７４】
この開く操作（ｄ）の際に、被測定者は、右手の親指と他の指で第３押さえ領域１７と第４押さえ領域１８とを互いに接近するように力Ｆ５，Ｆ６を加えて挟むことによって、第１クランプ部分１１Ｍと第２クランプ部分１２Ｍとの間を開くことができる。このとき、第３押さえ領域１７はスライド棒１４の先端に形成され、また、第４押さえ領域１８はスライド孔１３に隣り合って形成されているので、スライド棒１４がスライド孔１３に与える押圧力は比較的小さく、また、スライド孔１３がスライド棒１４に与える押圧力は比較的小さい。詳しくは、力Ｆ５によってスライド棒１４がスライド孔１３に与えるモーメントＴｒ５に関して、第３押さえ領域１７を力点とし、第１エッジ１３ｅ１を支点とすると、第４エッジ１３ｅ４は作用点に相当する。ここで、力点である第３押さえ領域１７と支点である第１エッジ１３ｅ１との間の距離に比して、支点である第１エッジ１３ｅ１と作用点である第４エッジ１３ｅ４との間の距離Ｌ１が比較的長い。したがって、第４エッジ１３ｅ４（および第１エッジ１３ｅ１）に働く押圧力が比較的小さくなる。また、力Ｆ６によってスライド孔１３がスライド棒１４に与えるモーメントＴｒ６に関して、第４押さえ領域１８を力点とし、第１エッジ１３ｅ１を支点とすると、第４エッジ１３ｅ４は作用点に相当する。ここで、力点である第４押さえ領域１８と支点である第１エッジ１３ｅ１との間の距離（正確には、モーメントの腕の長さ。この段落において以下同様。）に比して、支点である第１エッジ１３ｅ１と作用点である第４エッジ１３ｅ４との間の距離Ｌ１が比較的長い。したがって、第４エッジ１３ｅ４（および第１エッジ１３ｅ１）に働く押圧力が比較的小さくなる。これにより、スライド孔１３とスライド棒１４との間の摩擦力も比較的小さくなる。加えて、第１エッジ１３ｅ１および第４エッジ１３ｅ４の断面にはアールが施されているので、スライド孔１３とスライド棒１４との間の摩擦力はさらに小さくなる。この結果、被測定者は、第１クランプ部分１１Ｍと第２クランプ部分１２Ｍとの間を容易に開くことができる。すなわち、開く操作（ｄ）を片手で容易に行うことができる。
【００７５】
（ｅ）  次に、被測定者は、第１クランプ部分１１Ｍと第２クランプ部分１２Ｍとの間から左手首９０を取り外す。
【００７６】
このように、この血圧計１によれば、簡単な操作で血圧測定を行うことができる。
【００７７】
この血圧計１では、閉じる操作（ｂ）、開く操作（ｄ）の際に、湾曲したスライド棒１４を含む平面に沿って、第１クランプ部分１１Ｍと第２クランプ部分１２Ｍとが移動（摺動）する。つまり、断面矩形状のスライド孔１３に断面矩形状のスライド棒１４が嵌合しているので、スライド棒１４の周りに第１クランプ部分１１Ｍが回転するのが規制される。したがって、上記操作（ａ）〜（ｅ）が繰り返されたとしても、閉じる操作（ｂ）の後は、必ず、第１クランプ部分１１Ｍと第２クランプ部分１２Ｍとが上下方向に対向して、左手首９０を圧迫可能な状態になる。
【００７８】
また、この血圧計１では、図１中に示したように、本体１０の外面のうち第１クランプ部分１１Ｍのスライド孔１３に隣り合う領域で、前後（手前・奥）方向に関して第２押さえ領域１６と対応する位置に、操作スイッチとしての測定／停止スイッチ５２Ａが設けられている。したがって、被測定者は、右手の親指と他の指で測定／停止スイッチ５２Ａと第２押さえ領域１６とを互いに接近するように挟むことによって、第１クランプ部分１１Ｍと第２クランプ部分１２Ｍとの間を容易に閉じることができる。すなわち、閉じる操作（ｂ）を片手で容易に行うことができる。また、閉じる操作（ｂ）を行うことによって、測定開始指示の操作（ｃ）、すなわち、測定／停止スイッチ５２Ａを押して本体１０に血圧測定開始指示を入力する操作を行うことができる。つまり、被測定者は、閉じる操作（ｂ）と測定開始指示の操作（ｃ）とを併せて同時に行うことができ、したがって、より簡単な操作で血圧測定を行うことができる。
【００７９】
なお、スライド孔１３とスライド棒１４との間には摩擦があるので、この血圧計１を、第１クランプ部分１１Ｍと第２クランプ部分１２Ｍとの間が開かれた状態（開状態）で保管することは容易である。ただし、このカフ２０を、第１クランプ部分１１Ｍと第２クランプ部分１２Ｍとの間が閉じられた状態（閉状態）で保管しても良い。その場合、この血圧計１の使用に際して、配置する操作（ａ）の前に、第１クランプ部分１１Ｍと第２クランプ部分１２Ｍとの間を開く操作を加える。
【００８０】
図９は、この血圧計１が既述の左手首９０よりも太い左手首９１に対して装着された状態を示している。この図９から分かるように、第１クランプ部分１１Ｍの周方向の寸法は、太い左手首９１の手のひら側の半面９１ａを完全に覆う寸法に設定されている。第１クランプ部分１１Ｍの内周面１１ｂに沿って略全域に設けられた流体袋２２は、太い左手首９１の手のひら側の半面９１ａの大部分を覆っている。したがって、流体袋２２が加圧されることにより、動脈９０ｕ，９０ｖが圧迫されて、血圧測定が円滑に行われる。なお、この例では第２クランプ部分１２Ｍの周方向寸法が第１クランプ部分１１Ｍの周方向寸法よりも小さいことから、太い左手首９１のうちスライド棒１４から遠い左下部分は、第２クランプ部分１２Ｍの左端部１２ｅよりも外側へはみ出している。しかし、圧迫すべき動脈９０ｕ，９０ｖは手のひら側の半面９１ａに存在し、手の甲側の半面９１ｂには存在しないので、血圧測定に支障は生じない。
【００８１】
図１０は、この血圧計１が既述の左手首９０よりも細い左手首９２に対して装着された状態を示している。細い左手首９２の場合、閉じる操作（ｂ）の際に、第１クランプ部分１１Ｍに対して相対的に第２クランプ部分１２Ｍが近づくに連れて、第２クランプ部分１２Ｍは、第１クランプ部分１１Ｍの右端部１１ｆから左端部１１ｅへ向かって対向する領域を変えながら、概ね左上へ向かって斜めに大きく移動する（スライド孔１３およびスライド棒１４の湾曲に伴う姿勢の回転も含む。）。そして、第２クランプ部分１２Ｍは、細い左手首９２の手の甲側の半面９２ｂに沿った状態になる。これにより、第１クランプ部分１１Ｍと第２クランプ部分１２Ｍとの間に細い左手首９２を確実に挟持することができる。
【００８２】
この装着状態では、図１０から分かるように、細い左手首９２の手のひら側の半面９２ａは、第１クランプ部分１１Ｍに対して周方向に関して左端部１１ｅに片寄った位置に保持される。この結果、流体袋２２の右端部２２ｘは、左手首９２（特に、手のひら側の半面９２ａ）に接していない状態になる。このため、仮に何の工夫も無ければ、流体袋２２が加圧されたとき、流体袋２２の右端部２２ｘが図１０中に２点鎖線で示すように第２クランプ部分１２Ｍへ向かって大きく膨らんでしまい、血圧測定に支障を生ずる可能性がある。ここで、この血圧計１では、第１クランプ部分１１Ｍと第２クランプ部分との間が閉状態に近づくに連れて、第１クランプ部分１１Ｍの右端部１１ｆ（つまり、流体袋２２の右端部２２ｘ）に対して、第２クランプ部分１２Ｍの右端部１２ｆとそれに隣り合う連結板部分１２Ｐとが接近する。この結果、細い左手首９２に対する装着状態では、これらの要素１２ｆ，１２Ｐが、流体袋２２の対向する部分（右端部）２２ｘの膨張を規制する。したがって、血圧測定が精度良く円滑に行われる。
【００８３】
このように、この血圧計１は、第１クランプ部分１１Ｍに対して相対的に、第２クランプ部分１２Ｍが左下または左上へ移動することによって、太い左手首９１から細い左手首９２までを対象とした血圧測定を円滑に行うことができる。
【００８４】
上述の操作手順では、血圧計１が左半身に属する被測定部位（例えば左手首）に装着されることとしたが、これに限られるものではない。血圧計１は、右半身に属する被測定部位（例えば右手首）に装着されてもよい。その場合、上記被測定部位の周りで、スライド孔１３とスライド棒１４とが、被測定者の体の中央に近い側、この場合は左手に近い側に配置される。その場合、被測定者は、左手の親指と他の指で第１押さえ領域１５と第２押さえ領域１６とを挟むことによって、第１クランプ部分１１Ｍと第２クランプ部分１２Ｍとの間を容易に閉じることができる。また、被測定者は、左手の親指と他の指で第３押さえ領域１７と第４押さえ領域１８とを挟むことによって、第１クランプ部分１１Ｍと第２クランプ部分１２Ｍとの間を容易に開くことができる。すなわち、各操作を左手（片手）で容易に行うことができる。
【００８５】
図１４は、血圧計１の概略的なブロック構成を示している。血圧計１の本体１０には、既述の表示器５０および操作部５２に加えて、血圧測定のための要素として、制御部としてのＣＰＵ（Central Processing Unit）１００、記憶部としてのメモリ５１、電源部５３、ポンプ３２、弁３３、および圧力センサ３１が内蔵されている。また、本体１０には、圧力センサ３１からの出力を周波数に変換する発振回路３１０、ポンプ３２を駆動するポンプ駆動回路３２０、弁３３を駆動する弁駆動回路３３０が内蔵されている。
【００８６】
上記表示器５０は、ディスプレイおよびインジケータ等を含み、ＣＰＵ１００からの制御信号に従って所定の情報を表示する。
【００８７】
上記操作部５２に含まれた測定／停止スイッチ５２Ａ、記録呼出スイッチ５２Ｂは、ユーザによる指示に応じた操作信号をＣＰＵ１００に入力する。
【００８８】
上記メモリ５１は、血圧計１を制御するためのプログラムのデータ、血圧計１を制御するために用いられるデータ、血圧計１の各種機能を設定するための設定データ、および血圧値の測定結果のデータなどを記憶する。また、メモリ５１は、プログラムが実行されるときのワークメモリなどとして用いられる。
【００８９】
上記ＣＰＵ１００は、メモリ５１に記憶された血圧計１を制御するためのプログラムに従って、操作部５２からの操作信号に応じて、ポンプ３２や弁３３を駆動する制御を行う。また、ＣＰＵ１００は、圧力センサ３１からの信号に基づいて、血圧値を算出し、表示器５０およびメモリ５１を制御する。
【００９０】
上記電源部５３は、ＣＰＵ１００、圧力センサ３１、ポンプ３２、弁３３、表示器５０、メモリ５１、発振回路３１０、ポンプ駆動回路３２０、および弁駆動回路３３０の各部に電力を供給する。
【００９１】
上記ポンプ３２は、カフ２０に内包された流体袋２２内の圧力（カフ圧）を加圧するために、流体袋２２に空気を供給する。弁３３は、流体袋２２の空気を排出し、または封入してカフ圧を制御するために開閉される。ポンプ駆動回路３２０は、ポンプ３２をＣＰＵ１００から与えられる制御信号に基づいて駆動する。弁駆動回路３３０は、弁３３をＣＰＵ１００から与えられる制御信号に基づいて開閉する。
【００９２】
上記圧力センサ３１と発振回路３１０は、カフの圧力を検出する圧力検出部として働く。圧力センサ３１は、例えば、ピエゾ抵抗式圧力センサであり、カフ用エアチューブ３９を介して、ポンプ３２、弁３３およびカフ２０に内包されている流体袋２２に接続されている。この例では、発振回路３１０は、圧力センサ３１からのピエゾ抵抗効果による電気抵抗の変化に基づく電気信号値に基づき発振して、圧力センサ３１の電気信号値に応じた周波数を有する周波数信号をＣＰＵ１００に出力する。
【００９３】
一般的なオシロメトリック法に従って血圧を測定する場合、概ね、次のような動作が行なわれる。すなわち、被験者の被測定部位（腕など）に予めカフを装着しておき、測定時には、ポンプ・弁を制御して、カフ圧を最高血圧より高く加圧し、その後徐々に減圧していく。この減圧する過程において、カフ圧を圧力センサで検出し、被測定部位の動脈で発生する動脈容積の変動を脈波信号として取り出す。その時のカフ圧の変化に伴う脈波信号の振幅の変化（主に立ち上がりと立ち下がり）に基づいて、最高血圧（収縮期血圧：Systolic Blood Pressure）と最低血圧（拡張期血圧：Diastolic Blood Pressure）とを算出する。
【００９４】
この血圧計１では、ＣＰＵ１００によって、図１５のフローに従ってオシロメトリック法により被験者の血圧値が測定される。
【００９５】
具体的には、測定／停止スイッチ５２Ａが押されると、図１５に示すように、血圧計１は血圧測定を開始する。血圧測定開始に際して、ＣＰＵ１００は、処理用メモリ領域を初期化し、弁駆動回路３３０に制御信号を出力する。弁駆動回路３３０は、制御信号に基づいて、弁３３を開放してカフ２０の流体袋２２内の空気を排気する。続いて、圧力センサ３１の０ｍｍＨｇの調整を行う制御を行う。
【００９６】
血圧測定を開始すると、まず、ＣＰＵ１００は、弁駆動回路３３０を介して弁３３を閉鎖し、その後、ポンプ駆動回路３２０を介してポンプ３２を駆動して、流体袋２２に空気を送る制御を行う。これにより、流体袋２２を膨張させるとともにカフ圧を徐々に加圧していく（ステップＳＴ１０１）。
【００９７】
カフ圧が加圧されて所定の圧力に達すると（ステップＳＴ１０２でＹＥＳ）、ＣＰＵ１００は、ポンプ駆動回路３２０を介してポンプ３２を停止し、その後、弁駆動回路３３０を介して弁３３を徐々に開放する制御を行う。これにより、流体袋２２を収縮させるとともにカフ圧を徐々に減圧していく（ステップＳＴ１０３）。
【００９８】
ここで、所定の圧力とは、被験者の収縮期血圧よりも十分高い圧力（例えば、収縮期血圧＋３０ｍｍＨｇ）であり、予めメモリ５１に記憶されているか、カフ圧の加圧中にＣＰＵ１００が収縮期血圧を所定の算出式により推定して決定する（例えば特開２００１−７０２６３号公報参照。）。
【００９９】
また、減圧速度については、カフの加圧中に目標となる目標減圧速度を設定し、その目標減圧速度になるようにＣＰＵ１００が弁３３の開口度を制御する（同公報参照。）。
【０１００】
上記減圧過程において、カフ２０を介して、カフ２０の圧力を表すカフ圧信号（符号Ｐｃで表す。）を圧力センサ３１が検出する。ＣＰＵ１００は、このカフ圧信号Ｐｃに基づいて、オシロメトリック法により公知のアルゴリズムを適用して血圧値（収縮期血圧と拡張期血圧）を算出する（ステップＳＴ１０４）。なお、血圧値の算出は、減圧過程に限らず、加圧過程において行われてもよい。
【０１０１】
血圧値を算出して決定すると（ステップＳＴ１０５でＹＥＳ）、ＣＰＵ１００は、算出した血圧値を表示器５０へ表示し（ステップＳＴ１０６）、血圧値をメモリ５１へ保存する制御を行う（ステップＳＴ１０７）。
【０１０２】
次に、再び測定／停止スイッチ５２Ａが押されると、ＣＰＵ１００は、弁駆動回路３３０を介して弁３３を開放し、カフ２０の流体袋２２内の空気を排気する制御を行う（ステップＳＴ１０８）。これにより、血圧測定を終了する。
【０１０３】
（変形例）
図１１は、既述のカフ２０を変形した変形例のカフ（符号２０′で示す。）を備えた血圧計１′の外観を示している。なお、図１１（および後述の図１２、図１３）において、図１〜図１０におけるのと同一の構成要素には同一の符号を付している。
【０１０４】
この血圧計１′では、上側部材１１と下側部材１２との間に、弾性部材としてのコイルばね１９Ａ，１９Ｂが設けられている。具体的には、上側部材１１のブロック部分１１Ｎに設けられたガイド部分１１Ｐ，１１Ｑ（スライド孔１３に隣り合って形成されている）に、それぞれＣ字状のフック１１Ｔ，１１Ｕが一体に形成されている。一方、下側部材１２の基板部分１２Ｓに、前後方向に延びる係止棒１２Ｔ，１２Ｕが一体に形成されている。フック１１Ｔ，１１Ｕと係止棒１２Ｔ，１２Ｕとは、それぞれ前後方向に関して対応した位置にある。コイルばね１９Ａ，１９Ｂは、いずれも両端に、Ｃ字状のフック１９ｅ，１９ｆを有している。フック１１Ｔと係止棒１２Ｔとの間に、フック１９ｅ，１９ｆを介してコイルばね１９Ａが架け渡されている。また、フック１１Ｕと係止棒１２Ｕとの間に、フック１９ｅ，１９ｆを介してコイルばね１９Ｂが架け渡されている。コイルばね１９Ａ，１９Ｂは、第１クランプ部分１１Ｍと第２クランプ部分１２Ｍとが互いに接近する向きに、上側部材１１ブロック部分１１Ｎと下側部材１２の基板部分１２Ｓとの間に張力を与える。この例では、第１クランプ部分１１Ｍと第２クランプ部分１２Ｍとの間が開状態にあるときのコイルばね１９Ａ，１９Ｂの張力は、スライド孔１３とスライド棒１４との間の摩擦力よりも十分大きく設定されている。
【０１０５】
また、この例では、ブロック部分１１Ｎの内部に、図示しないハート形カムを含む公知のプッシュ・プッシュ式（プッシュロック・プッシュオープン式とも称される。）のラッチ機構４０が設けられている。このラッチ機構４０は、コイルばね１９Ａ，１９Ｂの張力に抗する外力によってブロック部分１１Ｎとスライド棒１４の端板部分１２Ｖとが互いに接近したとき、ブロック部分１１Ｎと端板部分１２Ｖとを互いに僅かに離間した状態で係合し、次に、再び外力によってブロック部分１１Ｎとスライド棒１４の端板部分１２Ｖとが互いに接近されたとき、ブロック部分１１Ｎと端板部分１２Ｖとの間の係合を解除する。
【０１０６】
この血圧計１′におけるその他の構成は、血圧計１の構成と同様である。
【０１０７】
この血圧計１は、被測定部位としての左手首９０に対して次のような操作（ｆ）〜（ｈ）で装着される。なお、最初に、第１クランプ部分１１Ｍと第２クランプ部分１２Ｍとの間は、閉状態にあるものとする。
【０１０８】
（ｆ）  まず、図１２（Ａ）（および、それを右側方から見たところを示す図１２（Ｂ））に示すように、被測定者は、第１クランプ部分１１Ｍと第２クランプ部分１２Ｍとの間を開く向きにスライド孔１３に対してスライド棒１４を摺動させて、第１クランプ部分１１Ｍと第２クランプ部分１２Ｍとの間を開状態にする。
【０１０９】
この開く操作（ｆ）の際に、被測定者は、右手の親指と他の指で第３押さえ領域１７と第４押さえ領域１８とを互いに接近するように、コイルばね１９Ａ，１９Ｂの張力Ｆ９，Ｆ１０に抗して力Ｆ７，Ｆ８を加えて挟むことによって、第１クランプ部分１１Ｍと第２クランプ部分１２Ｍとの間を開くことができる。このとき、第３押さえ領域１７はスライド棒１４の先端に形成され、また、第４押さえ領域１８はスライド孔１３に隣り合って形成されているので、既述の開く操作（ｄ）に関して述べたのと同様に、スライド棒１４がスライド孔１３に与える押圧力は比較的小さく、また、スライド孔１３がスライド棒１４に与える押圧力は比較的小さい。これにより、スライド孔１３とスライド棒１４との間の摩擦力も比較的小さくなる。加えて、第１エッジ１３ｅ１および第４エッジ１３ｅ４の断面にはアールが施されているので、スライド孔１３とスライド棒１４との間の摩擦力はさらに小さくなる。この結果、被測定者は、第１クランプ部分１１Ｍと第２クランプ部分１２Ｍとの間を容易に開くことができる。すなわち、開く操作（ｆ）を片手で容易に行うことができる。
【０１１０】
被測定者がこの開く操作（ｆ）を行うと、この例では、ラッチ機構４０が、ブロック部分１１Ｎと端板部分１２Ｖとを互いに僅かに離間した状態で係合する。したがって、第１クランプ部分１１Ｍと第２クランプ部分１２Ｍとの間の開状態が維持される。
【０１１１】
（ｇ）  この開状態が維持されている間に、図１２（Ａ）、図１２（Ｂ）中に示すように、被測定者は、被測定者は、第１クランプ部分１１Ｍと第２クランプ部分１２Ｍとの間に左手首９０を配置する。
【０１１２】
この配置する操作（ｇ）の際に、被測定者は、左手首９０の周りで、スライド孔１３とスライド棒１４とを、被測定者の体の中央に近い側、この場合は右手に近い側に配置する。また、左手首９０の動脈９０ｕ，９０ｖが通っている手のひら側の半面９０ａを上へ向けて、流体袋２２に接するようにする。
【０１１３】
この血圧計１′では、既述の血圧計１と同様に、スライド孔１３およびスライド棒１４は、第１クランプ部分１１Ｍおよび第２クランプ部分１２Ｍの左端部１１ｅ，１２ｅに近い側が凸となる態様で湾曲している。したがって、開状態では、スライド孔１３およびスライド棒１４がストレートである場合に比して、第１クランプ部分１１Ｍの左端部１１ｅと第２クランプ部分１２Ｍの左端部１２ｅとの間が大きく開いている。この結果、この配置する操作（ｇ）が容易になる。
【０１１４】
（ｈ）  次に、被測定者は、再び右手の親指と他の指で第３押さえ領域１７と第４押さえ領域１８とを互いに接近するように、コイルばね１９Ａ，１９Ｂの張力Ｆ９，Ｆ１０に抗して力Ｆ７，Ｆ８を加えて挟む。すると、図１３（Ａ）（および、それを右側方から見たところを示す図１３（Ｂ））に示すように、ラッチ機構４０が、ブロック部分１１Ｎと端板部分１２Ｖとの間の係合を解除する。これにより、コイルばね１９Ａ，１９Ｂの張力Ｆ９，Ｆ１０（スライド孔１３とスライド棒１４との間の摩擦力よりも十分大きく設定されている。）によって、第１クランプ部分１１Ｍと第２クランプ部分１２Ｍとの間を閉じる向きにスライド孔１３に対してスライド棒１４が摺動して、第１クランプ部分１１Ｍと第２クランプ部分１２Ｍとの間に左手首９０が挟持され、装着状態になる。
【０１１５】
ここで、コイルばね１９Ａ，１９Ｂが張力を与えるフック１１Ｔ，１１Ｕはスライド孔１３に隣り合って形成され、また、係止棒１２Ｔ，１２Ｕはフック１１Ｔ，１１Ｕに対応する位置に形成されているので、スライド孔１３がスライド棒１４に与える押圧力は比較的小さく、また、スライド棒１４がスライド孔１３に与える押圧力は比較的小さい。これにより、スライド孔１３とスライド棒１４との間の摩擦力も比較的小さくなる。加えて、第１エッジ１３ｅ１および第４エッジ１３ｅ４の断面にはアールが施されているので、スライド孔１３とスライド棒１４との間の摩擦力はさらに小さくなる。この結果、第１クランプ部分１１Ｍと第２クランプ部分１２Ｍとの間が容易に閉じられる。被測定者は第１クランプ部分１１Ｍと第２クランプ部分１２Ｍとの間を閉じるための外力を加える必要がない。
【０１１６】
この血圧計１′（カフ２０′）は、上述の３つの操作（ｆ）〜（ｈ）で左手首９０に装着される。したがって、従来例（５つの操作を要する）に比して、この血圧計１′は、簡単な操作で装着され得る。
【０１１７】
この血圧計１′では、上述の３つの操作（ｆ）〜（ｈ）を順次行った後の装着状態（図１３（Ａ）、図１３（Ｂ））で、被測定者は、次のような測定開始指示の操作（ｉ）を行う。
【０１１８】
（ｉ）  本体１０に設けられた操作スイッチとしての測定／停止スイッチ５２Ａを押して、本体１０に血圧測定開始指示を入力する。これによって、第１クランプ部分１１Ｍの内周面１１ｂに沿って設けられた流体袋２２が加圧されて、血圧測定が行われる（血圧測定のフローは、血圧計１に関して述べたのと同じである。）。
【０１１９】
血圧測定中には、血圧計１に関して述べたのと同様に、装着状態が確実に維持される。また、装着状態では、コイルばね１９Ａ，１９Ｂの張力によって、第１クランプ部分１１Ｍの内周面１１ｂに設けられた流体袋２２、第２クランプ部分１２Ｍの内周面１２ｂが左手首９０に密着する。したがって、血圧測定が精度良く円滑に行われる。
【０１２０】
この血圧計１は、血圧測定の後、次のような操作（ｊ）、（ｋ）で取り外される。
【０１２１】
（ｊ）  測定終了後、図１２（Ａ）に示したように、被測定者は、スライド棒１４に沿って、第１クランプ部分１１Ｍをこのスライド棒１４の先端側へ摺動させて、第１クランプ部分１１Ｍと第２クランプ部分１２Ｍとの間を少し開く。この少し開く操作（ｊ）は、最初の開く操作（ｅ）と同様に、右手の親指と他の指で第３押さえ領域１７と第４押さえ領域１８とを互いに接近するように、コイルばね１９Ａ，１９Ｂの張力Ｆ９，Ｆ１０に抗して力Ｆ７，Ｆ８を加えて挟むことによって、容易に行うことができる。なお、この少し開く操作（ｊ）では、第１クランプ部分１１Ｍと第２クランプ部分１２Ｍとの間をラッチ機構４０が働かない程度に開くものとする。
【０１２２】
（ｋ）  力Ｆ７，Ｆ８によって第１クランプ部分１１Ｍと第２クランプ部分１２Ｍとの間が少し開いている間に、被測定者は、第１クランプ部分１１Ｍと第２クランプ部分１２Ｍとの間から左手首９０を取り外す。つまり、少し開く操作（ｊ）と取り外す操作（ｋ）とを同時に行う。
【０１２３】
この後、被測定者がカフ２０′から右手を離すと、コイルばね１９Ａ，１９Ｂの張力Ｆ９，Ｆ１０によって、第１クランプ部分１１Ｍと第２クランプ部分１２Ｍとの間を閉じる向きにスライド孔１３に対してスライド棒１４が摺動して、第１クランプ部分１１Ｍと第２クランプ部分１２Ｍとの間が閉状態になる。
【０１２４】
なお、少し開く操作（ｊ）に代えて、最初の開く操作（ｆ）と同様に、ラッチ機構４０がブロック部分１１Ｎと端板部分１２Ｖとを互いに係合するまで開いてもよい。その場合は、取り外す操作（ｋ）の後に、再び右手の親指と他の指で第３押さえ領域１７と第４押さえ領域１８とを互いに接近するように、コイルばね１９Ａ，１９Ｂの張力Ｆ９，Ｆ１０に抗して力Ｆ７，Ｆ８を加えて挟んで、ラッチ機構４０によって、ブロック部分１１Ｎと端板部分１２Ｖとの間の係合を解除する。これにより、コイルばね１９Ａ，１９Ｂの張力Ｆ９，Ｆ１０を緩和して、第１クランプ部分１１Ｍと第２クランプ部分１２Ｍとの間が閉じた状態で保管する。
【０１２５】
上述の操作手順では、血圧計１′が左半身に属する被測定部位（例えば左手首）に装着されることとしたが、これに限られるものではない。血圧計１′は、右半身に属する被測定部位（例えば右手首）に装着されてもよい。その場合、上記被測定部位の周りで、スライド孔１３とスライド棒１４とが、被測定者の体の中央に近い側、この場合は左手に近い側に配置される。その場合、血圧計１におけるのと同様に、被測定者は、各操作を左手（片手）で容易に行うことができる。
【０１２６】
また、上の例では、弾性部材としてコイルばね１９Ａ，１９Ｂを備えたが、これに限られるものではない。弾性部材は、第１クランプ部分１１Ｍと第２クランプ部分１２Ｍとが互いに接近する向きに張力を与えるものであればよく、例えば輪ゴムであってもよい。
【０１２７】
また、上の例では、ラッチ機構４０を備えたが、これに限られるものではない。ラッチ機構４０を省略してもよい。その場合、力Ｆ７，Ｆ８によって第１クランプ部分１１Ｍと第２クランプ部分１２Ｍとの間が開いている間に、被測定者は、第１クランプ部分１１Ｍと第２クランプ部分１２Ｍとの間に左手首９０を配置する。すなわち、最初の開く操作（ｆ）と配置する操作（ｇ）とを同時に行うことになる。
【０１２８】
また、上述の血圧計１，１′は、手首に装着されることを想定して、カフ２０，２０′に本体１０が一体に取り付けられた一体型としたが、これに限られるものではない。例えば上腕に装着されることを想定して、カフ２０，２０′と本体１０とが細長いフレキシブルなチューブで接続されたタイプとしてもよい。
【０１２９】
上述の実施形態は例示に過ぎず、この発明の範囲から逸脱することなく種々の変形が可能である。また、上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【０１３０】
１，１′  血圧計
１０  本体
１１  上側部材
１１Ｍ  第１クランプ部分
１２  下側部材
１２Ｍ  第２クランプ部分
１３  スライド孔
１３ｅ１  第１エッジ
１３ｅ２  第２エッジ
１３ｅ３  第３エッジ
１３ｅ４  第４エッジ
１４  スライド棒
１５  第１押さえ領域
１６  第２押さえ領域
１７  第３押さえ領域
１８  第４押さえ領域
２０，２０′  カフ
２１  クランプ機構
５２  操作部
【図１】
0006287894.tif 000002
【図２】
0006287894.tif 000003
【図３】
0006287894.tif 000004
【図４】
0006287894.tif 000005
【図５】
0006287894.tif 000006
【図６】
0006287894.tif 000007
【図７】
0006287894.tif 000008
【図８】
0006287894.tif 000009
【図９】
0006287894.tif 000010
【図１０】
0006287894.tif 000011
【図１１】
0006287894.tif 000012
【図１２】
0006287894.tif 000013
【図１３】
0006287894.tif 000014
【図１４】
0006287894.tif 000015
【図１５】
0006287894.tif 000016